(57)【要約】      （修正有）【課題】ペンホルダー付き手帳において、ペンホルダーが手帳用紙によって邪摩されにくく、またペンホルダーを使用しない時には、手帳用紙を邪摩せずに、円滑に手帳表紙のポケット内に収納することが出来るペンホルダーを提供する。【解決手段】表（おもて）表紙１、内表紙３および裏表紙５からなる手帳表紙の一辺に取り付けられたペンホルダー部を有する手帳であって、該ペンホルダー部は、筆記具を保持するループを形成するための長方形の舌片７を有し、前記舌片７の一端は裏表紙５の前記辺に沿って固着されるとともに、該舌片７の他端は幅広のストッパー部１９を形成し、該ストッパー部１９は、前記表表紙１と裏表紙５の間に設けられたポケット部に挿入され、該ポケット部内の係止部に係止され、前記筆記具を保持するループを形成するペンホルダー付き手帳。【選択図】図２
0003138073.tif 000002
【実用新案登録請求の範囲】
【請求項１】
表（おもて）表紙１、内表紙３および裏表紙５からなる手帳表紙の一辺に取り付けられたペンホルダー部２１を有する手帳であって、該ペンホルダー部２１は、筆記具を保持するループを形成するための長方形の舌片７を有し、前記舌片７の一端は裏表紙５の前記辺に沿って固着されるとともに、該舌片７の他端は幅広のストッパー部１９を形成し、該ストッパー部１９は、前記表表紙１と裏表紙５の間に設けられたポケット部に挿入され、該ポケット部内の係止部に係止され、前記筆記具を保持するループを形成することを特徴とするペンホルダー付き手帳。
【請求項２】
前記ポケット部は、前記表表紙１と内表紙３の間に形成されていることを特徴とする請求項１に記載のペンホルダー付き手帳。
【考案の詳細な説明】
【技術分野】
【０００１】
本考案は、ペンホルダー付き手帳に関し、特にシステム手帳等の、表紙部分にペンホルダーを取り付けた手帳に関する。
【背景技術】
【０００２】
従来、この種の手帳、例えばシステム手帳にペンホルダーを付設したものは、例えば図２に示すように、手帳表紙の一辺にペンホルダー部２１を形成する長方形の舌片７の長手方向の端部を固着し、他の端部を裏表紙のスリット１７に差し込み、適当な係止手段、例えば長方形舌片の差し込み部の幅をスリット１７の幅よりも大きくして該スリットに差込み、該長方形舌片により筆記具を保持するループを形成したものが知られている（例えば特許文献１の図面参照）。
【０００３】
しかしながら、このようなペンホルダー付き手帳は以下のような欠点があった。すなわち、長方形舌片の係止部が手帳の裏表紙のスリット１７から裏表紙のポケット内に収納されているので、手帳表紙の内側にペンホルダー２１の可動部分を生じ、手帳用紙と接触して邪摩になったり、またペンホルダーを使用しない時に長方形舌片７をスリット１７のポケットの奥の方に押し込んで収納するのであるが、手帳の開閉を繰り返す間に長方形舌片が外側に引き出され、収納し難いという難点があった。
【特許文献１】特開２００１−３３４７７６号公報
【考案の開示】
【考案が解決しようとする課題】
【０００４】
本考案の課題は、上述の問題点を解決し、ペンホルダー付き手帳において、ペンホルダーが手帳用紙によって邪摩されにくく、またペンホルダーを使用しない時には、手帳用紙を邪摩せずに、円滑に手帳表紙のポケット内に収納することが出来るペンホルダーを提供することである。
【課題を解決するための手段】
【０００５】
上記課題を達成するために、本願で実用新案登録請求される考案は以下のとおりである。
（１）表（おもて）表紙１、内表紙３および裏表紙５からなる手帳表紙の一辺に取り付けられたペンホルダー部２１を有する手帳であって、該ペンホルダー部２１は、筆記具を保持するループを形成するための長方形の舌片７を有し、前記舌片７の一端は裏表紙５の前記辺に沿って固着されるとともに、該舌片７の他端は幅広のストッパー部１９を形成し、該ストッパー部１９は、前記表表紙１と裏表紙５の間に設けられたポケット部に挿入され、該ポケット部内の係止部に係止され、前記筆記具を保持するループを形成することを特徴とするペンホルダー付き手帳。
（２） 前記ポケット部は、前記表表紙１と内表紙３の間に形成されていることを特徴とする（１）に記載のペンホルダー付き手帳。
【考案の効果】
【０００６】
本考案によれば、ペンホルダーが手帳用紙によって邪摩されにくく、またペンホルダーを使用しない時には、手帳用紙を邪摩せずに、手帳表紙のポケット内に収納することが出来るペンホルダーを提供することができる。以下、本考案を図面により、具体的に説明する。
【考案を実施するための最良の形態】
【０００７】
図１は、本考案のペンホルダー付き手帳の手帳表紙（ペンホルダー部）の部分斜視図、図２は、その展開図である。図１および２において、表（おもて）表紙１、内表紙３および裏表紙５からなる手帳表紙の一辺には、ペンホルダー部２１が取り付けられ、該ペンホルダー部２１は、筆記具を保持するループを形成するための長方形舌片７からなり、前記舌片の一端は裏表紙５の前記辺に沿って固着されるとともに、該舌片７の他端は幅広のストッパー部１９を形成し、該ストッパー部１９は、前記表表紙１と裏表紙５の間、この場合は表表紙１と内表紙３の間に形成されたポケット部に挿入され、該ポケット部内の係止部に係止され、前記筆記具を保持するループを形成する。なお、１５は裏表紙の折り返し部を示す。
【０００８】
前記手帳表紙にペンホルダー部を取り付けるには、図２に示すように、表（おもて）表紙１の長辺部に折り返し部９を設け、該折り返し部９のポケット形成部１１に相当する部分に予め切れ目を入れて内側に折り返しておき、これに同様に切れ目を入れて内側に折り返した内表紙３を重ね合わせ、さらにその上に同様に切れ目を入れて折り返した裏表紙５を重ね合わせ、図１および２に示すように、表（おもて）表紙１の表紙辺部９を、表（おもて）表紙１、内表紙３および裏表紙５の辺部を包み込むように折り返してステッチ縫製し、また長方形舌片７の一端を裏表紙５のスリット１７に差し込んで、図１に示すようにステッチ縫製により固定し、また表（おもて）表紙１と内表紙３の間に形成されたポケット部に長方形舌片７のストッパー部１９を差し込み、折り返し部１３の表紙切れ目より幅広のストッパー部１９により長方形舌片の一端を係止することにより、本考案のペンホルダー付き手帳を作成することができる。この場合、前記ポケット部は、表表紙１と内表紙３の間に形成されているが、表表紙１と裏表紙５の間であれば、どの部分でもよく、例えば内表紙３と裏表紙５の間に形成してもよい。
【０００９】
本考案によれば、ペンホルダー部２１のストッパー部１９が裏表紙５の外側のポケット部に挿入されているので、手帳用紙の邪摩になりにくく、またペンホルダーを使用しない時には円滑にポケット部に収納することができる。
【図面の簡単な説明】
【００１０】
【図１】本考案のペンホルダー付き手帳の表紙のペンホルダー部分を示す斜視図。
【図２】本考案の手帳表紙を作成する際の展開図。
【図３】従来のペンホルダー付き手帳の表紙のペンホルダー部分を示す斜視図。
【符号の説明】
【００１１】
１：表（おもて）表紙、３：内表紙、５：裏表紙、７：長方形舌片、９：折り返し部、１１，１３：折り返し部（表紙辺部）、１５：裏表紙折り返し部、１７：スリット、１９：ストッパー部、２１：ペンホルダー部
【図１】
0003138073.tif 000003
【図２】
0003138073.tif 000004
【図３】
0003138073.tif 000005